(57)【要約】【課題】巻取軸と、該巻取軸巻き取られ、前記巻取軸から繰り出し可能に設けられた可撓性カバーとを有するロール型カバーがディスプレイ、又はキーボードに設けられ、前記巻取軸から前記カバーを繰り出すことにより前記ディスプレイの画面、又はキーボードのキーを隠蔽可能なコンピュータ用カバーに関し、多くのバリエーションを有するコンピュータ用カバーを提供することを課題とする。【解決手段】ディスプレイ１に、複数のロール型カバー（第１ロール型カバー、第２ロール型カバー）を設け、各ロール型カバーのカバーの意匠が異なる。又、キーボード２１に複数のロール型カバー（第３ロール型カバー、第４ロール型カバー）を設け、各ロール型カバーのカバーの意匠が異なる。【選択図】      図１
2005045336.tif 000002
【特許請求の範囲】
【請求項１】
巻取軸と、該巻取軸に巻き取られ、前記巻取軸から繰り出し可能に設けられた可撓性カバーとを有するロール型カバーがディスプレイに設けられ、前記巻取軸から前記カバーを繰り出すことにより前記ディスプレイの画面を隠蔽可能なコンピュータ用カバーにおいて、
前記ロール型カバーを複数設け、
前記各ロール型カバーのカバーの意匠が異なることを特徴とするコンピュータ用カバー。
【請求項２】
巻取軸と、該巻取軸に巻き取られ、前記巻取軸から繰り出し可能に設けられた可撓性カバーとを有するロール型カバーがキーボードに設けられ、前記カバーを繰り出すことにより前記キーボードのキーを隠蔽可能なコンピュータ用カバーにおいて、
前記ロール型カバーを複数設け、
前記各ロール型カバーのカバーの意匠が異なることを特徴とするコンピュータ用カバー。
【請求項３】
前記カバーは透過性を有することを特徴とする請求項１又は２記載のコンピュータ用カバー。
【請求項４】
前記カバーに、前記キーボードのキーと対応する文字を設けたことを特徴とする請求項２記載のコンピュータ用カバー。
【請求項５】
前記カバーは前記巻取軸に対して着脱可能であることを特徴とする請求項１乃至４のいずれかに記載のコンピュータ用カバー。
【発明の詳細な説明】
【０００１】
【発明の属する技術分野】
本発明は、巻取軸と、該巻取軸に巻き取られ、前記巻取軸から繰り出し可能に設けられた可撓性カバーとを有するロール型カバーがディスプレイに設けられ、前記巻取軸から前記カバーを繰り出すことにより前記ディスプレイの画面を隠蔽可能なコンピュータ用カバー、巻取軸と、該巻取軸巻き取られ前記巻取軸から繰り出し可能に設けられた可撓性カバーとを有するロール型カバーがキーボードに設けられ、前記カバーを繰り出すことにより前記キーボードのキーを隠蔽可能なコンピュータ用カバーに関する。
【０００２】
【従来の技術】
コンピュータ、例えば、パーソナルコンピュータ等において、操作していない場合の美観の向上及び防塵のために、ディスプレイの画面やキーボードを布等のカバーで覆うことがなされている。
【０００３】
ディスプレイにおいては、その前面に、巻取軸と、該巻取軸巻き取られ前記巻取軸から繰り出し可能に設けられた可撓性カバーとを有するロール型カバーを設けることも提案されている（例えば、特許文献１参照。）。
【０００４】
【特許文献１】
特開２００１−１９７４０２号公報（第２頁、図１）
【０００５】
【発明が解決しようとする課題】
しかし、上述した構成では、ディスプレイの画面やキーボードを覆うカバーが１枚であるので、バリエーションがない問題点がある。
【０００６】
本発明は、上記問題点に鑑みてなされたもので、その課題は、多くのバリエーションを有するコンピュータ用カバーを提供することにある。
【０００７】
【課題を解決するための手段】
上記課題を解決する請求項１記載の発明は、巻取軸と、該巻取軸巻き取られ前記巻取軸から繰り出し可能に設けられた可撓性カバーとを有するロール型カバーがディスプレイに設けられ、前記巻取軸から前記カバーを繰り出すことにより前記ディスプレイの画面を隠蔽可能なコンピュータ用カバーにおいて、前記ロール型カバーを複数設け、前記各ロール型カバーのカバーの意匠が異なることを特徴とするコンピュータ用カバーである。
【０００８】
請求項２記載の発明は、巻取軸と、該巻取軸巻き取られ前記巻取軸から繰り出し可能に設けられた可撓性カバーとを有するロール型カバーがキーボードに設けられ、前記カバーを繰り出すことにより前記キーボードのキーを隠蔽可能なコンピュータ用カバーにおいて、前記ロール型カバーを複数設け、前記各ロール型カバーのカバーの意匠が異なることを特徴とするコンピュータ用カバーである。
【０００９】
前記ロール型カバーを複数設け、前記各ロール型カバーのカバーの絵柄が異なる場合は、美観の面で多くのバリエーションを得ることができる。
【００１０】
又、前記ロール型カバーを複数設け、前記各ロール型カバーのカバーに異なるメッセージ（文字）を設けた場合、例えば、「稼動中」「会議中」等のメッセージを設けた場合、第三者に対して、複数種類あるメッセージの中から選択して１つのメッセージを伝えることが可能な伝言板となる。
【００１１】
請求項３記載の発明は、前記カバーは透過性を有することを特徴とする請求項１又は２記載のコンピュータ用カバーである。
【００１２】
前記カバーは透過性を有することにより、複数のカバーを重ね合わせることにより、カバーに絵柄が設けられている場合には、立体感のある絵柄や微妙な色合いを表現できる。又、カバーにメッセージが設けられている場合には、複数のメッセージを同時に伝えることができる。
【００１３】
請求項４記載の発明は、前記カバーに、前記キーボードのキーと対応する文字を設けたことを特徴とする請求項２記載のコンピュータ用カバーである。
【００１４】
前記カバーに、前記キーボードのキーと対応する文字を設けたことにより、カバーにより防塵がされた状態で、キーを打つことができる。
【００１５】
請求項５記載の発明は、前記カバーは、前記巻取軸に対して着脱可能であることを特徴とする請求項１乃至４のいずれかに記載のコンピュータ用カバーである。
【００１６】
前記カバーは、前記巻取軸に対して着脱可能であることにより、より多くのカバーの意匠を選択できる。
【００１７】
【発明の実施の形態】
次に図面を用いて本発明の実施の形態例を説明する。最初に、図１〜図３を用いて本発明の実施の形態例のコンピュータ用カバーが設けられたコンピュータの全体構成を説明する。図１は本実施の形態例のカバーが設けられたコンピュータの斜視図で、（ａ）図はカバーが巻き取られた状態、（ｂ）図はカバーが繰り出された状態を示し、図２は図１（ａ）のＡ方向からみた部分断面図、図３は図１（ａ）のＢ方向から見た部分断面図である。
【００１８】
図１、図２に示すように、コンピュータのディスプレイ１の内部上部には、第１巻取軸３と、第１巻取軸３に巻き取られ、第１巻取軸３から繰り出し可能に設けられた可撓性の第１カバー５とを有する第１ロール型カバー７と、第２巻取軸９と、第２巻取軸９に巻き取られ、第２巻取軸９から繰り出し可能に設けられた可撓性の第２カバー１１とを有する第２ロール型カバー１３とが設けられている。
【００１９】
又、図１、図３に示すように、キーボード２１の内部上部には、第３巻取軸２３と、第３巻取軸２３に巻き取られ、第３巻取軸２３から繰り出し可能に設けられた可撓性の第３カバー２５とを有する第３ロール型カバー２７と、第４巻取軸２９と、第４巻取軸２９に巻き取られ、第４巻取軸２９から繰り出し可能に設けられた可撓性の第４カバー３１とを有する第４ロール型カバー３３とが設けられている。
【００２０】
第１ロール型カバー７の第１巻取軸３、第２ロール型カバー１３の第２巻取軸９、第３ロール型カバー２７の第３巻取軸２３、第４ロール型カバー３３の第４巻取軸２９は、それぞれ図示しない付勢手段により、第１ロール型カバー７にあっては第１カバー５、第２ロール型カバー１３にあっては第２カバー１１、第３ロール型カバー２７にあっては第３カバー２５、第４ロール型カバー３３にあっては第４カバー３１を巻き取る方向に付勢されている。又、第１カバー５、第２カバー１１、第３カバー２５、第４カバー３１は、第１巻取軸３、第２巻取軸９、第３巻取軸２３、第４巻取軸２９に対して着脱可能となっている。さらに、第１カバー５、第２カバー１１、第３カバー２５、第４カバー３１の材質は、本実施の形態例においては、綿、麻、絹、化繊等からなる布または不織布とした。
【００２１】
図１、図２に示すように、第１ロール型カバー７の第１カバー５、第２ロール型カバー１３の第２カバー１１は、ディスプレイ１の上部に設けられた第１スリット４１、第２スリット４３からディスプレイ１の外部へ繰り出し可能となっている。第１カバー５、第２カバー１１の先端には、ディスプレイ１に係脱可能で、第１スリット４１、第２スリット４３を挿通不可能な第１フック４５、第２フック４７が設けられている。又、ディスプレイ１の側面上部に設けられた第１蓋４９を開けることにより、第１カバー５、第２カバー１１は第１巻取軸３、第２巻取軸９に対して交換可能となっている。
【００２２】
図１、図３に示すように、第３ロール型カバー２７の第３カバー２５、第４ロール型カバー３３の第４カバー３１は、キーボード２１の上部に設けられた第３スリット５１、第４スリット５３からキーボード２１の外部へ繰り出し可能となっている。更に、第３カバー２５、第４カバー３１の先端には、キーボード２１に係脱可能で、第３スリット５１、第４スリット５３を挿通不可能な第３フック５５、第４フック５７が設けられている。又、キーボード２１の側面上部に設けられた第２蓋５９を開けることにより、第３カバー２５、第４カバー３１は交換可能となっている。
【００２３】
本実施の形態例では、第１ロール型カバー７の第１カバー５と、第２ロール型カバー１３の第２カバー１１とは異なる絵柄が設けられている。又、第３ロール型カバー２７の第３カバー２５と、第４ロール型カバー３３の第４カバー３１とは異なる絵柄が設けられている。
【００２４】
次に上記構成の作動を説明する。図１（ａ）では、ディスプレイ１の第１ロール型カバー７、第２ロール型カバー１３の第１カバー５、第２カバー１１は第１巻取軸３、第２巻取軸９に巻き取られた状態にある。キーボード２１の第３ロール型カバー２７、第４ロール型カバー３３の第３カバー２５、第４カバー３１は第３巻取軸２３、第４巻取軸２９に巻き取られた状態にある。
【００２５】
ここで、第１ロール型カバー７の第１カバー５を図示しない付勢手段の付勢力に抗して引くと第１カバー５が繰り出され、第１フック４５をディスプレイ１の下部に係止させると、第１カバー５によりディスプレイ１の画面１ａが隠蔽される図１（ｂ）に示す状態となる。又、第３ロール型カバー２７の第３カバー２５を図示しない付勢手段の付勢力に抗して引くと第３カバー２５が繰り出され、第３フック５５をキーボード２１の下部に係止させると、第３カバー２５によりキーボード２１のキー２１ａが隠蔽される図１（ｂ）に示す状態となる。尚、第２ロール型カバー１３、第４ロール型カバー３３でも同様である。
【００２６】
上記構成によれば、第１ロール型カバー７の第１カバー５と、第２ロール型カバー１３の第２カバー１１とは異なる絵柄が設けられている。又、第３ロール型カバー２７の第３カバー２５と、第４ロール型カバー３３の第４カバー３１とは異なる絵柄が設けられているので、美観の面で多くのバリエーションを得ることができる。
【００２７】
又、第１蓋４９を開けることにより、第１カバー５、第２カバー１１は第１巻取軸３、第２巻取軸９に対して交換可能となっている。第２蓋５９を開けることにより、第３カバー２５、第４カバー３１は交換可能となっている。よって、美観の面でより多くの絵柄のバリエーションを得ることができる。
【００２８】
尚、本発明は上記実施の形態例に限定するものではない。上記実施の形態例では、第１ロール型カバー７の第１カバー５と、第２ロール型カバー１３の第２カバー１１とは異なる絵柄、又、第３ロール型カバー２７の第３カバー２５と、第４ロール型カバー３３の第４カバー３１とは異なる絵柄を記載したが、それぞれ異なる文字を設けてもよい。例えば、ディスプレイ１の第１ロール型カバー７の第１カバー５と、キーボード２１の第３ロール型カバー２７の第３カバー２５とに「システム稼動中」という文字、ディスプレイ１の第２ロール型カバー１３の第２カバー１１と、キーボード２１の第４ロール型カバー３３の第４カバー３１とに「会議中」という文字を設け、図４（ａ）に示すように、第１カバー５と、第３カバー２５を繰り出すことにより、第三者に「システム稼動中」というメッセージを、図４（ｂ）に示すように、第２カバー１１と、第４カバー３１を繰り出すことにより、第三者に「会議中」というメッセージを伝えることができる。即ち、第三者に対して、複数種類あるメッセージのなからか選択して１つのメッセージを伝えることが可能な伝言板となる。
【００２９】
又、図５（ａ）に示すように、ディスプレイ１の第１カバー５と、キーボード２１の第４カバー３１とを繰り出すことにより、又は図５（ｂ）に示すように、ディスプレイ１の第２カバー１１と、キーボード２１の第３カバー２５を繰り出すことにより、「システム稼動中」「会議中」という２つのメッセージを同時に表示することも可能である。
【００３０】
更に、第１ロール型カバー７の第１カバー５、第２ロール型カバー１３の第２カバー１１、第３ロール型カバー２７の第３カバー２５、第４ロール型カバー３３の第４カバー３１をそれぞれ透過性のある材質（例えば、合成樹脂）としてもよい。ディスプレイ１の第１ロール型カバー７の第１カバー５、第２ロール型カバー１３の第２カバー１１の両方、又、キーボード２１の第３ロール型カバー２７の第３カバー２５、第４ロール型カバー３３の第４カバー３１の両方を繰り出すと、絵柄が異なる場合には、複数（２枚）のカバーを重ね合わせることにより、立体感のある絵柄や微妙な色合いを表現できる。更に、カバーに文字が設けられている場合には、図６に示すように、ディスプレイ１、キーボード２１に「システム稼動中」「会議中」という２つのメッセージを同時に表示することが可能である。
【００３１】
又、キーボード２１の第３カバー２５又は第４カバー３１にキーボード２１のキー２１ａと対応する文字を記載してもよい。このようにすることで、第３カバー２５又は第４カバー３１によりキーボード２１が防塵がされた状態で、キーを打つことができる。
【００３２】
更に、上記実施の形態例では、ディスプレイ１、キーボード２１にそれぞれ２つのロール型カバーを設けたが、３つ以上設けてもよいのはいうまでもない。
【００３３】
【発明の効果】
以上述べたように請求項１、請求項２記載の発明によれば、前記ロール型カバーを複数設け、前記各ロール型カバーのカバーの絵柄が異なる場合は、美観の面で多くのバリエーションを得ることができる。
【００３４】
又、前記ロール型カバーを複数設け、前記各ロール型カバーのカバーに異なるメッセージ（文字）を設けた場合、例えば、「稼動中」「会議中」等のメッセージを設けた場合、第三者に対して、複数種類あるメッセージの中から選択して１つのメッセージを伝えることが可能な伝言板となる。
【００３５】
請求項３記載の発明によれば、前記カバーは透過性を有することにより、複数のカバーを重ね合わせることにより、カバーに絵柄が設けられている場合には、立体感のある絵柄や微妙な色合いを表現できる。又、カバーにメッセージが設けられている場合には、複数のメッセージを同時に伝えることができる。
【００３６】
請求項４記載の発明によれば、前記カバーに、前記キーボードのキーと対応する文字を設けたことにより、カバーにより防塵がされた状態で、キーを打つことができる。
【００３７】
請求項５記載の発明によれば、前記カバーは、前記巻取軸に対して着脱可能であることにより、数多くのカバーの意匠を選択できる。
【図面の簡単な説明】
【図１】実施の形態例のコンピュータ用カバーが設けられたコンピュータの斜視図で、（ａ）図はカバーが巻き取られた状態、（ｂ）図はカバーが繰り出された状態を示す図である。
【図２】図１（ａ）のＡ方向からみた部分断面図である。
【図３】図１（ａ）のＢ方向から見た部分断面図である。
【図４】カバーの他の実施の形態例を説明する図である。
【図５】カバーの他の実施の形態例を説明する図である。
【図６】カバーの他の実施の形態例を説明する図である。
【符号の説明】
１  ディスプレイ
１ａ  画面
３，９，２３，２９  巻取り軸
５，１１，２５，３１  カバー
７，１３，２７，３３  ロール型カバー
２１  キーボード
２１ａ  キー
【図１】
2005045336.tif 000003
【図２】
2005045336.tif 000004
【図３】
2005045336.tif 000005
【図４】
2005045336.tif 000006
【図５】
2005045336.tif 000007
【図６】
2005045336.tif 000008